(57)【要約】【課題】  １種類で零相変流器、ケーブルブラケットの大きさによるケーブルの芯ズレおよびケーブル引き込み角度の変化に対応可能なケーブルブラケット取付装置を提供する。  【解決手段】  ブラケット取付金具は、底辺部と側辺部からなるコ字状の盤側ブラケット取付金具３およびケーブル側ブラケット取付金具４からなり、二つのブラケット取付金具は、側辺部にお互の開放部を対向させた状態で結合する結合穴３a、４aと、底辺部に盤側取付板５およびケーブルブラケット２をそれぞれ固定する取付穴４bとを設けたものである。【選択図】    図１
2005151707.tif 000002
【特許請求の範囲】
【請求項１】
ケーブルを固定するケーブルブラケットと、前記ケーブルブラケットを取付けるブラケット取付金具とを備えた配電盤等のケーブルブラケット取付装置において、
前記ブラケット取付金具は、底辺部と側辺部からなるコ字状の盤側ブラケット取付金具およびケーブル側ブラケット取付金具からなり、前記二つのブラケット取付金具は、側辺部にお互の開放部を対向させた状態で結合する結合穴と、前記底辺部に盤側取付板およびケーブルブラケットをそれぞれ固定する取付穴とを設けたことを特徴とするケーブルブラケット取付装置。
【請求項２】
前記二つのブラケット取付金具の少なくとも一方の結合穴に、前記盤側取付板と垂直方向に長目穴としたことを特徴とする請求項１記載のケーブルブラケット取付装置。
【請求項３】
前記二つのブラケット取付金具の少なくとも一方の結合穴を、一定間隔で位置決めする位置決め溝を設けたことを特徴とする請求項２記載のケーブルブラケット取付装置。
【請求項４】
前記ケーブル側ブラケット取付金具の底辺部に、前記結合穴の長手方向と直角方向に長目の取付穴を設けたことを特徴とする請求項１から３のいずれか１項に記載のケーブルブラケット取付装置。
【発明の詳細な説明】
【技術分野】
【０００１】
本発明は、配電盤等に於けるケーブルを固定するケーブルブラケット取付装置に関する。
【背景技術】
【０００２】
図６は、従来構造を示すケーブルブラケット取付装置の斜視図である。
図において、１はケーブル、２はケーブルブラケット、５は盤側取付板、６はブラケット取付金具、７は零相変流器、８は零相変流器取付金具である。ケーブルの支持構造は、盤側取付板５と、盤取付板５に対して上下位置変更可能に取り付けられたケーブルブラケット取付金具６と、上下方向に沿って配設されたケーブル１を保持するケーブルブラケット２とを備えたものであり、このケーブルブラケット取付金具６のブラケット取付部には、その前後側それぞれから取り付けられるケーブルブラケット２を固定する取付穴を設けた構造のものがあった（例えば、特許文献１参照）。
【特許文献１】実開平５−２５２９号公報
【発明の開示】
【発明が解決しようとする課題】
【０００３】
しかしながら、回路に流れる電流値等の諸条件により、ケーブルサイズおよび零相変流器の外形寸法が変化しまた、ケーブルサイズ゛の変化に伴いケーブルブラケットの大きさが変化する状況で、ケーブルブラケットのケーブル固定部分中心と零相変流器のケーブル貫通穴中心はケーブル断面の中心とほぼ一致させないと物理的にケーブルが零相変流器のケーブル貫通穴を貫通出来ないため、、ケーブルブラケット取付金具の大きさはさまざまに変化する。
また、ケーブルが垂線に対し一定の角度を持って立ち上がって来た場合、ケーブルブラケットのケーブル固定部分内面とケーブル表面とが斜めに接触してケーブルおよび、ケーブルブラケット取付金具とに不要なストレスが生じることとなる。
このように、従来の装置では、変化する零相変流器、ケーブルブラケットの大きさに対応した多種類の取付金具を準備し、その中から適切なものを選定しなければならないので管理および選定作業が複雑となり選定ミスの要因となる。
また、製作途中の回路条件等の変更に伴うケーブルサイズ、零相変流器、ケーブルブラケットの変更により固定部品の交換をしなければならず費用と工数が発生するというような問題も抱えていた。
さらに、ケーブルを不均一に固定することにより、局部的に荷重が加わりケーブルシース、ケーブル絶縁体の劣化の原因となり得る可能性があった。
そこで、本発明はこのような問題点に鑑みてなされたものであり、１種類の取付装置で零相変流器および、ケーブルブラケットの大きさの変化によるケーブルの芯ズレおよびケーブルの引き込み角度の変化に対応してケーブルブラケットの取付姿勢を変化させることができるケーブルブラケット取付装置を提供することを目的とする。
【課題を解決するための手段】
【０００４】
上記問題を解決するため、本発明は、次のように構成したものである。
請求項１に記載の発明は、ケーブルを固定するケーブルブラケットと、前記ケーブルブラケットを取付けるブラケット取付金具とを備えた配電盤等のケーブルブラケット取付装置において、
前記ブラケット取付金具は、底辺部と側辺部からなるコ字状の盤側ブラケット取付金具およびケーブル側ブラケット取付金具からなり、前記二つのブラケット取付金具は、側辺部にお互の開放部を対向させた状態で結合する結合穴と、前記底辺部に盤側取付板およびケーブルブラケットをそれぞれ固定する取付穴を設けたものである。
また、請求項２に記載の発明は、前記二つのブラケット取付金具の少なくとも一方の結合穴を、前記盤側取付板と垂直方向に長目穴としたものである。
また、請求項３に記載の発明は、前記二つのブラケット取付金具の少なくとも一方の結合穴を、一定間隔で位置決めする位置決め溝を設けたものである。
また、請求項４に記載の発明は、前記ケーブル側ブラケット取付金具の底辺部に、前記結合穴の長手方向と直角方向に長目の取付穴を設けたものである。
【発明の効果】
【０００５】
請求項１に記載の発明によれば、ブラケット取付金具は、底辺部と側辺部からなるコ字状の盤側ブラケット取付金具およびケーブル側ブラケット取付金具からなり、二つのブラケット取付金具は、側辺部にお互の開放部を対向させた状態で結合する結合穴と、底辺部に盤側取付板およびケーブルブラケットをそれぞれ固定する取付穴を設けて各側辺部の一点をボルト等により固定したので、ケーブルブラケットを取り付け面に対し上下方向に回転して固定することができる。また、ケーブルの引き込み角度に対応してケーブルブラケットの取付姿勢を変化させることができる。
請求項２に記載の発明によれば、二つのブラケット取付金具の少なくとも一方の結合穴を、盤側取付板と垂直方向に長目穴としたので、ケーブルブラケットを取り付け面に対し前後方向にスライド調整して固定できるのでケーブル前後方向の芯ずれに対応することができる。
請求項３に記載の発明によれば、二つのブラケット取付金具の少なくとも一方の結合穴を、一定間隔で位置決めする位置決め溝を設けたので、ケーブルブラケット取付け面に対する前後方向の移動を一定間隔で段階的に行え、固定後の位置ズレを防止することができる。
請求項４に記載の発明によれば、ケーブル側ブラケット取付金具の底辺部に、結合穴の長手方向と直角方向に長目の取付穴を設けたので、ケーブルブラケットを取り付け面に対し左右に傾けて角度調整できるので、ケーブルの引き込み角度の変化に対応してケーブルブラケットの取付姿勢を変化させることができる。
【発明を実施するための最良の形態】
【０００６】
以下、本発明の実施の形態について図に基づいて説明する。
【実施例１】
【０００７】
図１は、本発明のケーブルブラケット取付装置の斜視図、図２はその側面図である。
図において、３は盤側ブラケット取付金具、３aは結合穴、３bは取付穴、４はケーブル側ブラケット取付金具、４aは結合穴、４bは取付穴である。
盤側ブラケット取付金具３は、コ字底辺部に盤側取付板５への取付穴３bを加工しコ字側辺各部には相対するケーブル側ブラケット取付金具４との結合穴３aを加工したものである。ケーブル側ブラケット取付金具４はコ字底辺部にケーブルブラケット２の取付穴４bを加工しコ字側辺各部には相対する盤側ブラケット取付金具３との結合穴４aを加工したものである。
つぎに動作について説明する。
盤側ブラケット取付金具３の盤側取付板５への取付穴３bにボルト等を挿入し盤側取付板５に盤側ブラケット取付金具３を固定する。盤側ブラケット取付金具３の側辺各部の内側に、ケーブル側ブラケット取付金具４の側辺各部を挿入し側辺の結合穴３aと結合穴４aとをボルト等により固定する。ケーブル側ブラケット取付金具４のケーブルブラケット２への取付穴４bにボルト等を挿入しケーブルブラケット２を取り付ける。    
盤側ブラケット取付金具３とケーブル側ブラケット取付金具４の取り付けは側辺左右各一点支持となっているため、図２に示すようにケーブルブラケット２を取り付け面に対し上下方向に回転して固定することができる。
【実施例２】
【０００８】
図３は、本発明の第２実施例を示すケーブルブラケット取り付け装置の斜視図である。
盤側ブラケット取付金具３はコ字底辺部に盤側取付板５への取付穴３bを加工しコ字側辺各部には相対するケーブル側ブラケット取付金具４との結合穴３aを盤側取付板５と垂直方向に長目穴加工したものである。ケーブル側ブラケット取付金具４はコ字底辺部にケーブルブラケット２の取付穴４bを加工しコ字側辺各部には相対する盤側ブラケット取付金具３との結合穴４aを加工したものである。
つぎに動作について説明する。
盤側ブラケット取付金具３とケーブル側ブラケット取付金具４の取り付けは、盤側ブラケット取付金具３のケーブル側ブラケット取付金具４との結合穴３aを盤側取付板５と垂直方向に長目穴としているので、ケーブル側ブラケット取付金具４を長目穴の範囲でスライドさせて位置調整して取り付けることができる。
【実施例３】
【０００９】
図４は、本発明の第３実施例を示すケーブルブラケット取付装置の斜視図である。
盤側ブラケット取付金具３はコ字底辺部に盤側取付板５への取付穴３bを加工しコ字側辺各部には相対するケーブル側ブラケット取付金具４との結合穴３aを盤側取付板５と垂直方向に長目穴で、かつ長手方向に一定間隔で位置決め溝３a´を加工したものである。ケーブル側ブラケット取付金具４はコ字底辺部にケーブルブラケット２の取付穴４bを加工しコ字側辺各部には相対する盤側ブラケット取付金具３との結合穴４aを加工したものである。
つぎに動作について説明する。
盤側ブラケット取付金具３とケーブル側ブラケット取付金具４の取り付けは、盤側ブラケット取付金具３のケーブル側ブラケット取付金具４との結合穴３aを盤側取付板５と垂直方向に長目穴で、かつ長手方向に一定間隔で位置決め溝３a´を設けているので、ケーブル側ブラケット取付金具４を長目穴の範囲で一定間隔でスライドさせて位置決めして取り付けることができる。
さらに、溝にボルトがはまり込むことで、ボルトがロックされ固定後のズレを防止できる。
【実施例４】
【００１０】
図５は、本発明の第４実施例を示す図で、ケーブル側ブラケット取付金具の正面図である。
ケーブル側ブラケット取付金具４の底辺部に結合穴４aの長手方向と直角方向に長目の取付穴４bを設けているのでケーブルブラケット２を取り付け面に対して角度θ°を左右方向に回転させ角度調整して取り付けることができる。
【図面の簡単な説明】
【００１１】
【図１】本発明のケーブルブラケット取付装置の斜視図
【図２】本発明のケーブルブラケット取付装置の側面図
【図３】本発明の第２実施例を示すケーブルブラケット取付装置の斜視図
【図４】本発明の第３実施例を示すケーブルブラケット取付装置の図で、(ａ)は斜視図（ｂ）は結合穴の拡大図
【図５】本発明の第４実施例を示すケーブル側ブラケット取付金具の正面図
【図６】従来構造のケーブルブラケット取付装置の斜視図
【符号の説明】
【００１２】
１ ケーブル
２ ケーブルブラケット
３ 盤側ブラケット取付金具
３ａ 結合穴
３a´位置決め溝
３b 取付穴
４ ケーブル側ブラケット取付金具
４a 結合穴
４b 取付穴
５ 盤側取付板
６ ブラケット取付金具
７ 零相変流器
８ 零相変流器取付金具
【図１】
2005151707.tif 000003
【図２】
2005151707.tif 000004
【図３】
2005151707.tif 000005
【図４】
2005151707.tif 000006
【図５】
2005151707.tif 000007
【図６】
2005151707.tif 000008